(57)【要約】【課題】遊技状況に応じて変化する数値を表示する表示部を有する複数のカウンタを備える遊技機において、当該カウンタが簡単な構造で取り付けられる遊技機を提供する。【解決手段】遊技機１において、遊技状況に応じて変化する数値を表示する表示部を有する複数のカウンタ８０６は、各々個別に固定されることなく、筒状容器８０２に収容され、後方から面圧固定板８１０を押し当てることによって固定されることで、カウンタ８０６はビスなどを用いることなく固定されることが可能となる。【選択図】          図２
2004147877.tif 000002
【特許請求の範囲】
【請求項１】
筐体と、
前記筐体に設けられた前面開口部と、
前記前面開口部を閉塞するように設けられた透明状板と、
遊技状況に応じて変化する数値を表示する表示部を有する複数の計数表示機と、を備える遊技機であって、
前記遊技機内部には前記計数表示機を収めるための筒状容器が透明状板と対向するように配置され、
前記複数の計数表示機は、その表示部を透明状板と対向させて前記筒状容器に収められた状態で前記透明状板の背面方向から一枚の裏蓋によって押圧支持されることを特徴とする遊技機。
【請求項２】
前記裏蓋は、前記複数の計数表示機に対向する面にスポンジ状の緩衝部を備えることを特徴とする請求項１又は２記載の遊技機。
【請求項３】
前記複数の計数表示機は列状に並んだ状態で前記筒状容器に収められていることを特徴とする請求項１又は２記載の遊技機。
【発明の詳細な説明】
【０００１】
【発明の属する技術分野】
本発明は、遊技機に関するものである。
【０００２】
【従来の技術】
ゲームセンターやカジノと呼ばれる遊技場にあっては、様々な遊技機が設置されており、多くの遊技者が遊技を楽しんでいる。この遊技機としては、例えばスロットマシンやポーカー・ゲーム機などが挙げられる（例えば、特許文献１参照）。
【０００３】
これらの遊技機においては、遊技者がコインなどの遊技媒体を投入して遊技を行い、遊技結果によっては所定の倍率を乗じた枚数の遊技媒体の払出しがなされるといったものである。
【０００４】
そのため、遊技後と遊技前の遊技機内部に保留されている遊技媒体の枚数の差からは、実際に遊技が行われた回数を知ることができないので、遊技場の管理者は、当該遊技機において遊技の行われた回数や、遊技機を出入りした遊技媒体の枚数などを把握することができない。
【０００５】
そのため、このような遊技機においては、遊技機を構成する筐体に、上述の如き各種数値を表示するためのカウンタが設けられている。これにより、遊技場管理者は各遊技機に設けられた当該カウンタに表示された数値を読み取ることで、それぞれの回数などのデータを得ることができるのである。
【０００６】
【特許文献１】
特開２０００−３４２７４４号公報
【０００７】
【発明が解決しようとする課題】
しかしながら、これらのカウンタは、遊技場管理者が視認しやすい位置に複数個を設ける必要があるが、その設置個数や各カウンタに必要な表示桁数などは遊技機の種類によって異なるものであり、筐体を共通使用する遊技機同士であっても当該カウンタ部分についてはその都度設計の変更をする必要があった。
【０００８】
また、それぞれのカウンタは、ビスなどを使用して個別に筐体に固定されているため、ある遊技機の筐体を再利用することで新たな遊技機を作る際には、カウンタの付け替えが必要となるが、非常に手間のかかるものであった。
【０００９】
さらに、当該カウンタ部分付近の構造も、遊技機ごとに異なるので、新たなパーツを用意する必要があるので、その分コストがかかっていた。
【００１０】
本発明は、以上の問題点に鑑みてなされたものであり、その目的は、遊技状況に応じて変化する数値を表示する表示部を有する複数のカウンタを備える遊技機において、当該カウンタが簡単な構造で取り付けられる遊技機を提供することにある。
【００１１】
【発明が解決しようとする課題】
本発明は、遊技状況に応じて変化する数値を表示する表示部を有する複数のカウンタを備える遊技機において、当該カウンタを個別に固定することなく、汎用の部材で、簡単に固定することが可能な遊技機を提供する。
【００１２】
より具体的には、本発明は、以下のようなものを提供する。
【００１３】
（１）  筐体と、前記筐体に設けられた前面開口部と、前記前面開口部を閉塞するように設けられた透明状板と、遊技状況に応じて変化する数値を表示する表示部を有する複数の計数表示機と、を備える遊技機であって、前記遊技機内部には前記計数表示機を収めるための筒状容器が透明状板と対向するように配置され、前記複数の計数表示機は、その表示部を透明状板と対向させて前記筒状容器に収められた状態で前記透明状板の背面方向から一枚の裏蓋によって押圧支持されることを特徴とする遊技機。
【００１４】
上述した（１）の発明によれば、遊技状況に応じて変化する数値を表示する表示部を有する複数のカウンタを備える遊技機において「前記遊技機内部には前記計数表示機を収めるための筒状容器が透明状板と対向するように配置され、前記複数の計数表示機は、その表示部を透明状板と対向させて前記筒状容器に収められた状態で前記透明状板の背面方向から一枚の裏蓋によって押圧支持される」ように構成することにより、従来のカウンタのように個々にビスで固定することなく、一括して裏蓋で固定するので、部品点数及び組み付けの手間の削減が可能となる。
【００１５】
また、裏蓋をはずすのみで全てのカウンタの取出しができるので、メンテナンスが容易となる。
【００１６】
更に、筒状容器にカウンタを収めることで、筐体に対する該カウンタ等の位置決めが可能となり、カウンタ等の固定位置がずれることの防止が可能となる。
【００１７】
従来の遊技機においては、遊技状況に応じて変化する数値を表示する表示部を有する複数のカウンタを備える場合、各々のカウンタについて個別にビスなどを用いて固定していた。そのため、部品点数が増え、組み付けにかかる工程も多くなっていた。
【００１８】
そこで、本発明のように構成することにより、複数のカウンタを一括して裏蓋で固定することができるので、部品点数及び組み付けの手間の削減が可能となるのである。
【００１９】
（２）  前記裏蓋は、前記複数の計数表示機に対向する面にスポンジ状の緩衝部を備えることを特徴とする（１）記載の遊技機。
【００２０】
上述した（２）の発明によれば、（１）の遊技機において「前記裏蓋は、前記複数の計数表示機に対向する面にスポンジ状の緩衝部を備える」ように構成することにより、裏蓋のスポンジ部によって面圧固定することによりカウンタ等の形状に左右されることなく固定ができるので、汎用性を有し、設計の自由度を上げることが可能となる。
【００２１】
上述した（１）の発明のように構成し、部品点数等の少なくなった遊技機であっても、遊技機によって使用されるカウンタの形状が異なってしまうと、その都度当該筒状容器などの設計を変更することが必要となり、部品の共通使用が図れないため、コストダウンの効果が充分ではない。
【００２２】
そこで、本発明のように構成することにより、裏蓋のスポンジ部によって面圧固定することによりカウンタ等の形状に左右されることなく固定ができるので、汎用性を有し、設計の自由度を上げることが可能となるのである。
【００２３】
（３）  前記複数の計数表示機は列状に並んだ状態で前記筒状容器に収められていることを特徴とする（１）又は（２）記載の遊技機。
【００２４】
上述した（３）の発明によれば、（１）又は（２）の遊技機において「前記複数の計数表示機は列状に並んだ状態で前記筒状容器に収められている」ように構成することにより、筒状容器を薄型化することで、省スペース化に対応することが可能となる。
【００２５】
【発明の実施の形態】
以下に、本発明における好適な実施形態について図面に基づいて説明する。尚、本実施例は、本発明における遊技機をビデオゲーム機に適用し、遊技に必要な様々な情報を画像として表示させる画像表示装置を用いた実施例について説明する。また、この遊技機１は、紙幣、及び遊技媒体であるコイン、メダル又はトークンなどを用いて遊技する遊技機であるが、以下においては、紙幣とコインを用いるものとして説明する。
【００２６】
［遊技機の構成］
遊技機１の正面図を図１に示す。遊技機１は、筐体２に前面ドアとしての機能を兼用する扉体３が開閉自在に取り付けられている。また、筐体２の上部にトップフレーム４が取り付けられている。トップフレーム４の正面には化粧パネル板４１が施されている。
【００２７】
遊技情報を表示する画像表示装置２１は筐体２内に設置される。画像表示装置２１の表示を視認可能とするために、扉体３の上部には開口部２０が形成され、画像表示装置２１による表示を視認可能とするため、あるいは画像表示装置２１を保護するための透明板が開口部２０に取り付けられている。そして、開口部２０の両翼には、遊技状態に応じて発生される効果音あるいは効果音楽を聴覚容易とするための透音部９０２Ｌ及び９０２Ｒが形成されている。
【００２８】
開口部２０の下方には、正面方向に突出する形で操作部５が配置されている。操作部５には各種操作ボタンが配列され、当該ボタンの後方やや右寄りにはコインを投入するためのコイン投入口５１が備えられている。更に、操作部５の右側には、筐体２内に収納される紙幣識別機（ビルバリデータ）に紙幣を案内するための紙幣案内部５２が備えられている。
【００２９】
操作部５を形成する台座部の下部には、遊技状況に応じて変化する数値を表示する表示部を有する複数のカウンタ８０６（図２参照）を表示するための表示窓８００が設けられている。これにより、遊技場管理者は遊技機１の扉体等を開放することなしに、筐体２内に設置されたカウンタ８０６に示された値を直接読み取ることが可能となるのである。
【００３０】
また、この位置にカウンタ８０６を設置することにより、遊技者には視認し難いながらも、遊技場管理者等が遊技機の扉を開けることなく当該カウンタの数値を読み取ることが可能となるのである。
【００３１】
尚、本実施形態においては、カウンタ８０６は台座部の下方に設けられた表示窓８００から視認可能な位置に設置されているが、本発明はこれに限らず、遊技者に対してあまり目立たない部分に設置されていればよく、遊技機の扉などを開放したときに始めて視認可能となる位置に設けられていてもよい。
【００３２】
操作部５の下方には、扉体３と開閉自在に連結する下部枠体６が設けられている。下部枠体６には化粧パネル板６１が内包されている。化粧パネル板６１には、当該遊技機の機種などを表す装飾が施されている。なお、画像表示装置２１の画面上部に存在するトップフレーム４の化粧パネル板４１にも前記装飾が視認容易に施されている。
【００３３】
尚、本実施形態においては、化粧パネル板４１及び６１には当該遊技機の機種などを表す装飾が施されているよう構成されているが、本発明はこれに限らず、例えば、化粧パネル板４１に当該遊技機における遊技方法の説明を表示させたりするなど、遊技者に対して何らかの報知をするもの、単なる模様による装飾などであってもよい。
【００３４】
下部枠体６の下方にはコインを収容するためのコイン受け部３０が形成されており、遊技の結果などによりコインの払出しが行われた場合には筐体内から排出されたコインがここに貯められるのである。
【００３５】
［カウンタ固定部の構成］
操作部５を構成する台座部及び当該台座部内部に設置されているカウンタの斜視分解組立図を図２に示す。
【００３６】
当該台座部を形成する台座部枠体５０の上部には複数の操作ボタンを備えた操作パネル８１６が設置されている。この操作パネル８１６と上述したコイン投入口５１及び紙幣挿入口によって操作部５が形成され、遊技者は操作部５により様々な操作を行うことにより、遊技が進行するのである。
【００３７】
また、台座部枠体５０の内部にはカウンタ８０６を収納するための横長薄型形状の開口断面を有した筒状容器８０２が備えられており、後述するカウンタ８０６の設置位置を固定する。
【００３８】
筒状容器８０２には、遊技機前面方向より順に、カウンタ表示内容表記パネル８０４、カウンタ８０６、スポンジ状緩衝部８０８が収納されている。
【００３９】
ここで、カウンタ表示内容表記パネル８０４とは、カウンタ８０６の各々が表示する数値が何を示すかについて表記されたものである。
【００４０】
また、カウンタ８０６は、遊技機１において遊技状況に応じて変化する数値を表示するものであり、具体的には、遊技の行われた回数、遊技機に投入されたコインや紙幣の枚数、払い出されたコインの枚数、大当たりの発生した回数等の積算値であり、図２においては、複数のカウンタを並列した状態で描かれている。
【００４１】
また、スポンジ状緩衝部８０８は筒状容器８０２内におけるスペーサーの役割を果たすものである。
【００４２】
更に、筒状容器８０２の背後からは、面圧固定板８１０が押し当てられ、ビス８１２によって筒状容器８０２に固定されている。
【００４３】
一方、筒状容器８０２の前面開口は、上述した表示窓８００と接しており、表示窓８００には透明板８１４が嵌合されている。
【００４４】
以上のように構成されることより、カウンタ表示内容表記パネル８０４及びカウンタ８０６は、背後からスポンジ状緩衝部８０８を介して、面圧固定板８１０によって前面方向の透明板８１４に押し当てられることで、固定されるのである。従来の遊技機においては、複数のカウンタが各々別個にビスなどを用いて筐体に固定されており、そのため部品点数が多くなり、また、組み付けの手間のかかるものであったが、本発明のように構成することで、部品点数の削減及び組み付け作業量の低減が可能となるのである。更に、各カウンタは後方からスポンジ状緩衝部８０８によって面圧固定されるので、カウンタのサイズやハーネスの設置箇所の異なるものを使用する場合であっても、その都度面圧固定板８１０の形状を設計し直すことなく、同一のもので固定することが可能となり、部材の汎用性を増すことが可能となるのである。
【００４５】
また、カウンタ表示内容表記パネル８０４についても、透明板８１４とカウンタ８０６との間に挟み込まれることのみで固定されるので、固定のために特別な部品が不要となるのである。
【００４６】
更に、複数のカウンタ８０６は、図２に示すように列状に配列している。このように配列することにより、筒状容器を薄型化することで、省スペース化に対応することが可能となる。そして、図１に示すような、台座部の下部などの遊技者から目立たない部分などに設置することが可能となるのである。
【００４７】
［カウンタの機能］
カウンタ８０６は、筐体内部に備えられた制御基板と電気的に接続しており、当該制御基板からの命令により、各カウンタに表示された数値を１ずつ加算していくのである。
【００４８】
具体的には、例えば、カウンタ８０６にコインの投入総数を表示させる場合には、当該制御基板と電気的に接続したコインセンサが、コイン投入口５１へのコインの投入を感知した際にコインの投入があった旨を示す信号を当該制御基板に送り、当該信号を受け取った当該制御基板は、カウンタ８０６のうちのコイン投入総数を表示するものに対して、表示する数値に１を加算する旨の信号を送るのである。これにより、カウンタ８０６はコインの投入総数を正確に表示することができるのである。
【００４９】
また、当該制御基板には、コインを払出しするためのホッパーも電気的に接続しており、当該ホッパーが駆動した旨の信号を当該制御基板が受け取った際には、カウンタ８０６のうちのコイン払出し総数を表示するものに対して、表示する数値に１を加算する旨の信号を送り、これによりカウンタ８０６はコインの払出し総数を正確に表示することができるのである。
【００５０】
また、当該制御基板は、遊技機１における遊技内容を制御するものであるので、遊技が１回行われるごとに、遊技が行われたことを示す信号をカウンタ８０６のうちの遊技回数を表示するものに対して、表示する数値に１を加算する旨の信号を送り、これによりカウンタ８０６は遊技回数の総数を正確に表示することができるのである。
【００５１】
尚、本実施形態においてカウンタ８０６に表示させている表示内容は、コインの投入総数、コインの払出し総数、遊技回数の総数の３つであるが、本発明はこれに限らず、遊技状況に応じて変化する数値であれば、いかなるものを表示させてもよい。
【００５２】
以上のように構成することにより、遊技状況に応じて変化する数値を表示させるためのカウンタを、従来のカウンタのように個々にビスで固定することなく、また、そのカウンタの形状や個数を限定することなく、一括して裏蓋で固定するので、部品点数及び組み付けの手間の削減が可能となり、裏蓋をはずすのみで全てのカウンタの取出しができるので、メンテナンスが容易となるのである。更に、筒状容器にカウンタを収めることで、筐体に対する該カウンタ等の位置決めが可能となり、カウンタ等の固定位置がずれることの防止が可能となるのである。
【００５３】
また、本明細書に記載された効果は、本発明から生じる最も好適な効果を列挙したに過ぎず、本発明による効果は、本明細書に記載されたものに限定されるものではない。
【００５４】
【発明の効果】
本発明によれば、遊技状況に応じて変化する数値を表示する表示部を有する複数のカウンタを備える遊技機において「前記遊技機内部には前記計数表示機を収めるための筒状容器が透明状板と対向するように配置され、前記複数の計数表示機は、その表示部を透明状板と対向させて前記筒状容器に収められた状態で前記透明状板の背面方向から一枚の裏蓋によって押圧支持される」ように構成することにより、従来のカウンタのように個々にビスで固定することなく、一括して裏蓋で固定するので、部品点数及び組み付けの手間の削減が可能となる。また、裏蓋をはずすのみで全てのカウンタの取出しができるので、メンテナンスが容易となる。更に、筒状容器にカウンタを収めることで、筐体に対する該カウンタ等の位置決めが可能となり、カウンタ等の固定位置がずれることの防止が可能となる。
【図面の簡単な説明】
【図１】本発明における遊技機１の正面図である。
【図２】本発明における台座部及びカウンタの斜視分解組立図である。
【符号の説明】
１  遊技機
２  筐体
５  操作部
２１  画像表示装置
５０  台座部枠体
８００  表示窓
８０２  筒状容器
８０４  カウンタ表示内容表記パネル
８０６  カウンタ
８０８  スポンジ状緩衝部
８１０  面圧固定板
８１２  ビス
８１４  透明板
８１６  操作パネル
【図１】
2004147877.tif 000003
【図２】
2004147877.tif 000004